(57)【要約】バギー、乳母車などに連結するスタンディングボードであって、ボード（１）と、車輪（２）と、前記ボード（１）を前記バギー又は乳母車に連結する連結手段とを含み、前記連結手段は２つのアーム（３）を含み、前記アームは前記スタンディングボードの通常の移動方向前方に対角線方向に設けられているスタンディングボード。前記アーム（３）は前記ボード（１）に連結されており、実質的に水平方向且つ前記スタンディングボードの移動方向に直交する方向に移動可能である。【選択図】図１
2007509812.tif 000002
【特許請求の範囲】
【請求項１】
バギー、乳母車などに連結するスタンディングボードであって、
ボード（１）と、車輪（２）と、前記ボード（１）を前記バギー又は乳母車に連結する連結手段とを含み、
前記連結手段は２つの取付アーム（３）を含み、
前記取付アームは、前記スタンディングボードの通常の移動方向前方において対角線方向に設けられると共に、
前記取付アーム（３）は、実質的に水平方向且つ前記スタンディングボードの移動方向に直交する方向に移動可能に前記ボード（１）に対して連結されている
スタンディングボード。
【請求項２】
前記取付アーム（３）が横方向バー（６）によって前記ボード（１）に連結され、
前記横方向バーに沿って前記取付アーム（３）が移動可能である
請求項１に記載のスタンディングボード。
【請求項３】
前記横方向バー（６）が軸回りに、前記ボード（１）に対して回動可能であり、
前記取付アーム（３）が前記横方向バー（６）の回転移動に従うように設計されている
請求項１又は２に記載のスタンディングボード。
【請求項４】
前記取付アーム（３）が少なくとも２つの部分（２０、２１）を含み、
前記２つの部分は互いに対して長手方向に相対移動可能である
請求項１から３のいずれかに記載のスタンディングボード。
【請求項５】
前記横方向バー（６）が管体である
請求項１から３のいずれかに記載のスタンディングボード。
【請求項６】
前記スタンディングボードが、前記横方向バー（６）を解放して回転させ且つ前記横方向バー（６）を複数の位置のうちの１つにロックする手段を含む
請求項１から５のいずれかに記載のスタンディングボード。
【請求項７】
前記横方向バー（６）が、前記横方向バー（６）を解放して回転させ且つ前記横方向バー（６）を複数の位置のうちの１つにロックする手段を含む
請求項１から６のいずれかに記載のスタンディングボード。
【請求項８】
前記スタンディングボードに含まれる、前記横方向バー（６）を解放し且つロックする手段が、前記スタンディングボードの前角部に関連して配置されている
請求項１から７のいずれかに記載のスタンディングボード。
【請求項９】
前記スタンディングボードに含まれる、前記横方向バー（６）を解放し且つロックする手段が、前記スタンディングボードの中央取付位置（８）に関連して配置されている
請求項１から７のいずれかに記載のスタンディングボード。
【発明の詳細な説明】
【技術分野】
【０００１】
本発明は、乳母車及びバギーと共に用いる移送装置に関する。
【背景技術】
【０００２】
バギーに乗せた子供と全行程を歩けないか歩かない別の子供と共に外出しなければならないという状況は親にとって厄介であるが、これはいわゆるスタンディングボードにより上手く解決されてきた。
【０００３】
スタンディングボードは、バギーに連結された車輪上にプラットホームを備え、これにより同行する子供の移送が安全、快適、迅速かつ楽しいものになる。子供はバギーに連結されたスタンディングボード上に立つことができる。ボードは通常バギーの後車軸に締結されるように設計されており、子供はバギーのバスケットとバギーのハンドルとの間に立つ。物品の運搬及び他の同様の目的のためにスタンディングボードを用いることも可能である。
【０００４】
ボードは、その一部が取付具によってバギーのシャーシ又は車軸に支持され、別の一部がボードの後端近傍に設けられた２つの車輪により支持されている。ボードに取り付けられた車輪は垂直軸回りに回動可能に構成されている。
【発明の開示】
【発明が解決しようとする課題】
【０００５】
バギーとスタンディングボードとの間に改良された締結装置を備えた移送装置が必要とされている。
【０００６】
本発明の１つの目的は、改良された締結装置を提供することである。
【０００７】
上記目的は請求の範囲による装置によって達成される。
【課題を解決するための手段】
【０００８】
本発明の一局面によると、バギー、乳母車などに連結するスタンディングボードであって、ボードと、車輪と、前記ボードを前記バギー又は乳母車に連結する連結手段とを含み、前記連結手段は２つの取付アームを含み、前記取付アームは前記スタンディングボードの通常の移動方向前方において対角線（斜め）方向に設けられているスタンディングボード用の装置が提供される。
【０００９】
前記取付アームは、取付アームが前記ボードに連結されており、実質的に水平方向且つ前記スタンディングボードの移動方向に直交する方向に移動可能であるようにする手段を含む。
【００１０】
前記取付アームが横方向バーによって前記ボードに連結され、前記横方向バーに沿って前記取付アームが移動可能である。
【００１１】
前記バーは軸回りに、前記ボードに対して回動可能であり、前記取付アームは前記バーの回転移動に従うように設計されている。
【００１２】
前記取付アームは互いに対して長手方向に相対移動可能な少なくとも２つの部分を含む。
【００１３】
前記スタンディングボードは、前記バーを解放して回転させ且つ前記バーを複数の位置のうちの１つにロックする手段を含む。
【００１４】
前記バーを解放し且つロックする手段は、前記スタンディングボードの前角部に関連して配置されている。
【発明の効果】
【００１５】
この装置を用いるとスタンディングボードをバギーに容易に連結することができ、バギーが通常とは異なる設計又はスタンディングボードをバギーのシャーシに連結することが困難な設計を有している場合もスタンディングボードを必要に応じて調整することができる。
【発明を実施するための最良の形態】
【００１６】
本発明の好ましい実施形態を、図面を参照してさらに詳細に説明する。
【００１７】
上記及び他の特徴並びに利点は、添付の図面を参照して以下の本発明の実施形態の詳細な説明を読むことにより明らかになる。
【００１８】
スタンディングボードは、ボード１と、下方に向けられた少なくとも２つの車輪２と、少なくとも１つの取付アーム３とを含む。ボード１は４つの僅かに丸みを帯びた角部を有する。
【００１９】
車輪２は好ましくは、ボード１の２つの角部に１つずつ取り付けられ、これによりスタンディングボードが地面上で走行可能となる。
【００２０】
好ましくは、ボードの前辺に沿って２つの取付アーム３が設けられており、これによりスタンディングボードをバギーに連結できる。
【００２１】
ボード１の２つの端部には縁隆起部４が設けられている。ボード１の前端にはもう１つの縁である前隆起部５が設けられており、スタンディングボードのボード１上に立っている子供の足が、ボード１からスタンディングボードが取り付けられているバギー方向又は側方に滑り落ちることを阻止している。
【００２２】
スタンディングボードが例えば坂を上り下りしたり、平坦でない地面上を移動し且つ子供がスタンディングボード上に立っているときに起こり得る状況において、２つの縁隆起部４と前隆起部５とが子供の足がスタンディングボードから滑り落ちることを有効に阻止する。
【００２３】
前隆起部５に対してスタンディングボードの移動方向前方に、横方向バー６が３つの取付点で取り付けられている。横方向バー６は、ボード１の２つの前角部端部にある２つの外側取付点７に取り付けられている。取付点７は、縁隆起部４からスタンディングボードの移動方向に延びた位置にある。横方向バー６はさらに、バー６の中央部を強化する第３の中央取付点８を通過している。これによりバー６は中央取付点８から両側部に延び、取付アーム３が中央取付点８の両側にバー６に沿って設けられている。
【００２４】
実質的にバー６の長手方向に沿って少なくとも１つの凹部９が、取付アーム３のピンに対して構成されている。凹部９は取付アーム３をバー６にロックし、取付アーム３がバー６の周方向に移動することを阻止している。凹部９はさらに取付アーム３がバー６の長手方向に移動することを可能にする。取付アーム３はさらに、バー６の長手方向における上記移動をロックするロック装置を含む。
【００２５】
ロック装置は、他端にロック部材を有するボタン１０からなり、ロック部材はスタンディングボードの通常使用時に取付アーム３をバー６にロックし、それにより取付アーム３がバー６の長手方向に移動することを阻止する。ロック装置を解除して取付アーム３を解放するには、ボタン１０を押圧する。するとバー６が、係合溝１２に対する係合状態から解放される。
【００２６】
バー６の両端に、バー６の端部からバー６の長手方向に沿って延びる１以上の溝部１１が形成されている。バー６の長手方向に沿った溝部１１と縁隆起部部４から延びる締結装置内の係合部（図示せず）とがバー６をロックして、バー６が軸回りに自由に回転することを阻止する。係合部は１以上の溝部１１と係合し、それによりバー６の回転移動をロックする。バー６を軸回りに回動させるには、縁隆起部４上のボタン１３を押圧することにより係合部に作用を及ぼして係合部を溝部１１から解放し、それによりバー６をロック状態から解放する。するとバー６は自由に回動する。
【００２７】
上記バー６はロック状態から解放されると、軸回りに移動可能となる。このことは取付アーム３が垂直方向に移動可能となることをも意味する。
【００２８】
ボタン１３は係合部に連結されており、ボタン１３を押すと係合部は持ち上げられる。ボタン１３の別の実施形態として、引き上げることにより溝部１１との係合から係合部を解放する装置を用いることも可能である。
【００２９】
さらにボタン１３に代えて、取付アーム上に対応するロック装置を設けることも可能である。
【００３０】
バー６が自由になると、取付アームを上下動させることが可能となる。ここで上下動とは、取付アーム３がスタンディングボードの平面に対して角度を有する方向に移動することを意味する。スタンディングボードのボード１を取り囲む２つの縁隆起部４は実質的に中空であり、下側に向けて開口している。下側とは、スタンディングボードの表面であって、スタンディングボードの使用中に車輪２に対向する面を指す。
【００３１】
縁隆起部４の内部空間には複合ばね１４と可動レバー１５とが収容されている。車輪は可動レバー１５に取り付けられている。
【００３２】
車輪２は、可動レバー１５に取り付けられた回動可能な装置によって支持されている。車輪２は連動する締結装置を備え、実質的に垂直な軸を有する。垂直軸の第２の端部は可動レバー１５に配置され、第１の端部は縁隆起部４の内部に配置されている。
【００３３】
可動レバー１５の第１の端部には少なくとも１つの突出鋲１６が設けられており、可動レバー１５を縁隆起部４の内面に連結している。これにより可動レバー１５に固定点（支点）が提供される。可動レバー１５の第２の端部は上下に移動することができ、これにより可動レバー１５は少なくとも２つの位置の間を移動可能となる。
【００３４】
可動レバー１５の第２の端部には車輪２が取り付けられている。可動レバー１５の第２の端部には返し片１７も設けられており、可動レバー１５が縁隆起部４内の位置から出ることを阻止している。これにより可動レバー１５に上端位置と下端位置とが提供され、可動レバー１５はこの間を移動するように設計されている。複合ばね１４は第１の端部１８と第２の端部１９とを含み、実質的に上向きに湾曲している。すなわち、複合ばね１４の中央部が通常最も高く、端部１８および１９は中央部に対して部分的に下方、すなわちスタンディングボードの使用中に車輪２に対向する地面方向を向いている。
【００３５】
複合ばね１４の第１の端部１８は、可動レバー１５の第１の端部に取り付けられており、複合ばね１４が外部からの衝撃に対して弾性の可撓性を有するように設計されている。複合ばね１４の第２の端部１９は、可動レバー１５に寄りかかるように取り付けられ、これにより複合ばね１４が移動可能となっている。別の実施形態では、複合ばね１４の第１の端部を可動レバー１５の第２の端部に締結すること、又は複合ばね１４を可動レバー１５の中央部に中央取付具で締結し可動レバー１５のいずれの端部にも締結しないようにすることも可能である。
【００３６】
通常の動作では、複合ばね１４の中央部は縁隆起部４の内面に寄りかかるように設けられ、可動レバー１５を上方に押圧する力に抗している。可動レバー１５が荷重を受けているとき、複合ばね１４も効果を提供する。複合ばね１４の第１の端部１８が前隆起部５において可動レバー１５に取り付けられているため、複合ばね１４の第２の端部１９は上方に押圧される。可動レバー１５が上方に動くと、複合ばね１４は縁隆起部４の内面に抗して上方に押圧される。その結果、複合ばね１４が圧縮されて圧縮力を打ち消す一方、可動レバー１５は穏やかにその動きを抑え、その結果、車輪２の上方移動をも抑える。車輪２の移動が穏やかに抑えられると同時に、複合バネ１４も通常位置に戻る。
【００３７】
その結果、車輪２も上向きの力を低減して下端位置に戻る。車輪２の動きが穏やかに抑えられ下端位置に戻った結果、スタンディングボードは、移動面である地面のすべての不規則要素を有効且つ穏やかに吸収する。不規則要素はスタンディングボードに付与される荷重の急速な変化を含む。
【００３８】
通常、車輪２に上向けの力を付与するのは子供の体重である。しかし、これは例えば食料を詰めた鞄又は同様の部材などの他の物体でもよい。
【００３９】
複合ばね１４とその可動取付とにより、車輪２は、ガタガタしたり地面との連続的接触を失うことなく、地面の不規則要素に沿って移動することが可能となる。
【００４０】
取付アーム３の主要な作用は、スタンディングボードをバギーに連結することである。本発明によると取付アーム３はさらに、適応性を向上させ実質的に無限の調整を提供する。
【００４１】
本発明によると取付アーム３は、ボード１に対して水平に移動可能であり且つ使用中はボード１に固定されるように、スタンディングボード上に取り付けられる。これを達成するために、取付アーム３はバー６に締結され、バー６がボード１に取り付けられている。
【００４２】
取付具は少なくとも１つの移動可能な取付アーム３を含む。取付アーム３は、スタンディングボードの前端にバギー方向に取り付けられた水平バー６に沿った複数の異なる位置に取付可能である。
【００４３】
装置は少なくとも２つの取付アーム３を有することが好ましく、取付アーム３はバー６に沿って設けられることが好ましい。
【００４４】
取付アーム３の取付具は、バー６を適切な位置にロックするために、バー６に沿って水平方向に移動可能である。
【００４５】
取付アーム３は、第１の部分２０、第２の部分２１及び第３の部分２２などのいくつかの組立部分を含む。第１の部分２０は、バー６に沿って水平に移動可能であるようにバー６に取り付けられている。
【００４６】
第１の部分２０の第１の端部に横方向貫通孔２３が形成されており、これにより組み立て時に第１の部分２０を横方向バー６に外挿することができる。第１の部分２０は、スタンディングボードをバギーに取り付ける際のオプションを増やすために適切な角度で取り付けられる。バギーの幅は使用可能なモデルに応じて大きく変わる。
【００４７】
取付アーム３の第１の部分２０の第２の端部には開口部が形成されており、当該開口部はバー６側の端部まで延びる長手方向内部チャネルとなる。これにより第２の部分２１を内部チャネルに挿入し、且つ適切なロック部材２５で第１の部分２０にロックすることができる。
【００４８】
取付アーム３の第１の部分２０の第２の端部において、第１の部分２０と第２の部分２１との間を取付ける取付具が、取付アーム３の第２の部分２１に設けられている。これにより取付アーム３は複数の異なる長さを有することができる。第２の部分２１は、第２の部分２１とバギーとの間の取付けを、より直線的にするために、適切な角度で取り付けられる。
【００４９】
第２の部分２１の第２の端部には第３の部分２２である小さな装置２２が取り付けられている。第３の部分２２は第２の部分２１を締結装置によりバギーに取り付けるように設計されている。装置２２は好ましくは実質的に第２の部分２１に直交するように取り付けられる。
【００５０】
別の実施形態では、第２の部分２１と装置２２とが異なる角度で交わるように設計することも可能である。しかし本発明の思想は、様々な形態でスタンディングボードをバギーに取り付けることを可能にする単一の角度で装置２２を取り付けることである。
【００５１】
スタンディングボードの締結装置をバギーに連結する際に、バギーの移動方向側から且つ内部方向に連結することが好都合である。これは連結作業を簡素化する。しかし、必ずしもこの方向に連結する必要はなく、他の方向に連結してもよい。
【００５２】
取付アーム３の第２の部分２１は装置２２用の、可能性のあるいくつかの取付手段を有する。取付手段は、第２の部分２１全体に渡って形成された、側部からの開口部を含む。装置２２を第２の部分２１に取り付ける開口部により、装置２２を、スタンディングボードから複数の異なる長さの位置において第２の部分２１に締結することができる。
【００５３】
取付アーム３をスタンディングボードから解放する、または取付アーム３の位置を調整するには、取付アーム３の第１の部分２０上のボタン１０を押圧する。これにより取付アーム３をロック状態から解放し、取付アーム３がバー６の長手方向に沿って側部方向に移動可能となる。このように、取付アーム３間の距離を変えることが可能であり、その結果、取付アーム３間の距離を適切な幅、好ましくはスタンディングボードと共に用いるバギーの幅に調整することが可能である。
【００５４】
別の実施形態では、スタンディングボードのボードを実質的に丸く、すなわち矩形ではなく概して円形にすることも可能である。
【００５５】
別の実施形態では、分割されたバー、すなわち長手方向に設けられた２つの別々の部分からなるバーを用いることも可能である。この場合、中央の取付点を共通取付点とする。
【００５６】
バーが異なる断面を有するように設計することも可能であるし、単一のバーがいくつかの異なる断面を有するように設計することも可能である。これはバーのいずれの位置で異なる断面が必要となるかに依存する。例えば、ボードへの取付位置では円形の断面を有し、取付アームが移動する部分では四角形の断面を有するようにバーを設計することも可能である。
【００５７】
取付アームは、横方向に調整可能な調整可能部を含むが、取付アームを１つのバーに沿って設けなくてもよい。取付アームを２つのバーに取り付けることも可能である。取付アームを互いにある程度平行ないつくかのバーに取り付けることも可能である。バーに代えて摺動ストリップ（sliding strip）、又はバー若しくは管体と同一の特性を有する同様の部材を用いてもよい。
【００５８】
別の実施形態では、バーの中央取付位置に中央ロック装置を取り付けて、バーの長手方向に対する取付アームの動きをロックすることも可能である。３つのロック装置を用いてロックすることも可能である。その場合、１つを中央に２つを上記の様に取り付ける。
【００５９】
さらに別の実施形態では、ロック状態の取付アームをスタンディングボードから解放する、または取付アームの位置を調整するために、取付アームを垂直方向に移動させることも可能である。その結果、取付アームはロック状態から解放され、バーの長手方向に沿って横方向に移動可能となる。これにより、取付アーム間の距離を変更し、適切な幅、好ましくはスタンディングボードと共に用いるバギーの幅にすることができる。
【００６０】
別の実施形態では、凹部９に代えて、実質的にバー６の長手方向においてバーに係合凸部を設け、対応する被係合凹部を取付アーム３に設けた構成にすることも可能である。係合凸部は取付アーム３をバー６にロックし、取付アーム３がバー６の周方向に移動することを阻止する一方、取付アーム３がバー６の長手方向に移動することは可能にする。
【００６１】
別の実施形態では、ボタン１０の一部を、押圧してロック状態を解放する装置として設計し、別の一部を、引き上げてロック状態を解放する装置として設計することもできる。本発明の思想は、ロック状態がどのようにして解放されるかには限定されない。
【図面の簡単な説明】
【００６２】
【図１】図１は、本発明のスタンディングボードの斜視図である。
【図２】図２は、本発明の別の斜視図である。
【図３】図３は、本発明の複合ばねを備えた可動レバー、及び連動するサスペンションを備えた車輪の斜視図である。
【図４】図４は、本発明の複合ばねを備えた可動レバー、連動するサスペンションを備えた車輪、及び取付アームが取り付けられたバーの斜視図である。
【図５】図５は、本発明のバー、取付アーム及び可動レバーの一部を示す拡大斜視図である。
【図６】図６は、本発明の複合ばねを備えた可動レバー、連動するサスペンションを備えた車輪、及び取付アームが取り付けられたバーの別の斜視図である。
【図７】図７は、本発明のバーの斜視図である。
【図８】図８（１）は、本発明の取付アームの第１の部分を示す図である。図８（２）は、本発明による取付アームの第１の部分のロック装置を示す図である。図８（３）は、本発明による取付アームの第２の部分と第３の部分とを示す図である。
【図１】
2007509812.tif 000003
【図２】
2007509812.tif 000004
【図３】
2007509812.tif 000005
【図４】
2007509812.tif 000006
【図５】
2007509812.tif 000007
【図６】
2007509812.tif 000008
【図７】
2007509812.tif 000009
【図８】
2007509812.tif 000010
【国際調査報告】
2007509812.tif 000011
2007509812.tif 000012